(57)【要約】【課題】  薬草をマット岩盤浴に用いる事で、石の放射元素と、薬草の植物分の二つの癒し効果を同時に得て、人々の健康に寄与すること。【解決手段】岩盤浴用石板の表面上に敷き使用する敷きマットにおいて、薬草の粉砕抹を布若しくは不織布若しくは、紙を袋状に構成し、その中に内包させ、縦横斜に敷き並べ連結させた岩盤用専用薬草マットである。【選択図】  図４
0003118345.tif 000002
【実用新案登録請求の範囲】
【請求項１】
岩盤浴用石板の表面上に敷き使用する敷きマットにおいて、薬草の成分を発散する薬効体から構成したマットである事を特徴とした岩盤浴専用薬草マット
【請求項２】
前記薬効体は、薬草の粉砕抹を布若しくは不織布若しくは、紙を袋状に構成し、その中に内包させたものであることを特徴とした請求項１記載の岩盤浴専用薬草マット
【請求項３】
請求項２記載の袋状に内包させた薬効体を、縦横斜に敷き並べ連結させたことを特徴とする請求項１又は２記載の岩盤用専用薬草マット
【考案の詳細な説明】
【技術分野】
【０００１】  本考案は、岩盤浴の寝床の表面上に敷き（身体の上に掛ける場合も有る）使用する敷マットで、過熱した石から放射される元素の癒しエネルギーと、薬草から放射される元素の癒しエネルギーの、二つのエネルギーを同時に入浴者の体に浴びせる事を目的とさせた、薬草を用いた敷きマットの考案である。
【背景技術】
【０００２】  現在の岩盤浴の入浴目的は、屋内の浴室に加熱する石の寝床を設け、寝床に入浴者が体を寝かせ、石より放射する元素を浴び、岩盤床の熱で体を温め血行を促し発汗させる使用法が一般的で、薬草を用いたマット使用は確認されていない。【０００３】  岩盤浴の入浴方法で、岩盤床に体を寝かせる際、床と体の間に布製のバスタオルを敷くのみで、バスタオルを敷く以外の方法は見受けられない。【０００４】  岩盤浴は、上記の様な浴室内に石の寝床を設ける物の他に、部屋内に据え置く小型のカプセル型のもの等が有るがこれ等の物も、薬草を用いたマットを使用した装置は確認出来ない。【０００５】  上記の岩盤浴には、癒し目的の設備として音楽を流す、香水を発散させる、室温・湿度を高める、室内にイオン水を噴霧させる等が用いられているが薬草を用いたマットは組み込まれていない。【０００６】  岩盤浴に於いて、石が有する癒しエネルギーと、薬草が有する癒しエネルギーの二つのエネルギーを同時に得るため、岩盤床に穴を設け、穴に薬草を詰め込む手法を用いた考案申請があるが薬草マットを使用する手法ではない。【０００７】  岩盤浴に該当しない案件に、敷き布団等に電気源による発熱体を設け、布団の中に薬草のエキスを浸透させたマットを取り込み、薬草の癒しエネルギーを得ようとした考案申請が有るが、岩盤浴の石床の上に敷き癒し効果を得るものではない。
【特許文献１】特願２００４−１５２５８０
【特許文献２】特開２００５−２３０５１７
【考案の開示】
【考案が解決しようとする課題】
【０００８】  現在運営されている岩盤浴に使用される石類には、トルマリン鉱石、黒雲母花崗岩石、麦飯石、ゲルマニウム含有鉱石と多くの石類が有り、これ等の石類を加工し浴室内に加熱可能な岩盤の寝床として構築し、岩盤床１３の上に入浴者２がうつ伏せ又は仰向けで横たわり、加熱された岩盤３より放出された、希有元素放射線、遠赤外線マイナスイオン等の元素を入浴者の人体に浴びせ、疲れた体の細胞の働きを活発にさせて、疲労した心身を癒すことを目的した岩盤浴に対し、薬草の癒しを取り入れる事を課題とする。【０００９】  癒しとは、飢えた癒しには動植物の細胞を食事として与えることで癒される。苦痛を癒すには傷ついた神経の細胞に対して、薬草から得られる新しい分子を補給して癒される。
病気を癒すには、腐り壊れ死にかけた病を司る細胞に対して薬草から得られる新しい分子を補うことで癒される。精神的な癒しには脳内に薬草の原素を送り込めば気分が癒される。こうした趣旨の癒しを本考案の薬草マット１で達成させる事を課題とする。【００１０】  上記【０００８】の岩盤３より得られる癒し効果と、【０００９】の薬草より得られる癒し効果の二種類の癒し効果を、薬草マット１を用いる事で同時に得る事を課題とする。
【課題を解決するための手段】
【００１１】添付図１〜図４を参照に本発明の要旨を説明する。【００１２】  薬草が有する癒しエネルギーを得る為に、岩盤３上に入浴者２が寝て全身に敷き渡る大きさ、又は体の一部に敷く面積を有した、薬草の粉砕抹を取り込んだ敷き（掛け）目的の薬草マット１を構成させる。【００１３】  薬草の粉砕抹７が飛散しないように、上布８・下布９で粉砕抹７を内包一枚の薬草マット１に構成。【００１４】  給湯パイプ５を用いる熱源体４が岩盤３を加熱し、加熱された岩盤３の放射熱で薬草マット１の小袋１２内の粉砕抹７が加熱され、加熱した粉砕抹７が薬草成分を放出する機能を有する構造。【００１５】  薬草の粉砕抹７に与える温度を高める目的で、薬草１マットを構成する下布９、上布８は薄い不織布や紙又は極細目のメッシュ布の素材を用いる構造。【００１６】  薬草１マットを構成する下布９、上布８の間に挟み込む用に内包した薬草粉砕抹７は薄く均一に敷き詰め薬草成分を効率良く放出する機能を持たせた構造。【００１７】  下布９、草粉砕抹７、上布８の三層を、縦横又は斜めに、糸止１１又は圧着止１０の加工を亀甲状に施し小袋１２状態に形成し、薬草マット１を乱暴に振り回す扱いに対しても、粉砕抹７が薬草マット１の一ヶ所に移動し団子状態になる事なく、一定の位置に安定的に保持される構造。【００１８】  薬草マット１に人型模様１４を描き、人型模様１４の内部のみに粉砕抹７を敷き込む事で粉砕抹７の節約を可能とさせる構造。【００１９】  薬草１マットの内部に内包した粉砕抹７はオオバコ、ヨモギ、マタタビ、マツフジマツグサ、ゲンノショウコウ、スイカズラ、ニワトコ、ドクダミ、ビワ等の植物であり、これ等薬草の葉枝を１ミリ〜５ミリ程度に刻み加工し、一種類を単品で挟みこむか、複種類を混合で内包製品化する構造。
【考案の効果】
【００２０】  本発明は上述した構造によって構成されたもので以下のような効果を奏する。
従来運営している岩盤浴は、岩盤床１３を加熱し石より放射される成分で入浴者２の細胞を和らげ血行を良くするだけの癒しを行っているが。本考案の薬草マット１を上記の岩盤床１３の上に敷き、薬草の成分も発散させる事で人の心身に対する薬草による癒し効果も得ることを可能とする。【００２１】  又、特に石より放射される癒し成分と、薬草より発散される癒し成分とが併合して同時に入浴者２を包むことは、絶大な癒し効果をもたらす。【００２２】  此れまで岩盤床１３を加熱させた熱を、薬草粉砕抹７の熱源とし利用するため、薬草マットを加熱させるランニングコストはかからない。
【考案を実施するための最良の形態】
【００２３】  本考案の実施形態を図１〜図４で説明する。
図１は、薬草マット１の上面を表し、大人が仰向けに寝て、はみ出すことのない大きさを有し、人型模様１４を描くことで入浴者２に対し、薬草粉砕抹７が内包されている範囲を示す目的と、薬草マット１の敷く際の方向を判断させる目的を考慮する。
点線６は粉砕抹７が一定の位置に安定し保つように亀甲状の小袋１２にさせる為の糸止め又は圧着止めの状況を示す。【００２４】  図２は、薬草マット１の中央部の断面図で薬草マット１全面が小袋７状態であることを示す。【００２５】  図３は、岩盤床の岩盤３を中にして、下部に給湯パイプ５を配した熱源体４、上部に薬草マット１を配した形態を表し。  薬草マット１が大袋状態であるとマットを取り扱う際に傾いた袋の底部に薬草粉砕抹７が団子状態と化し薬草敷き１マットの機能を果たさない、此れを防ぐため薬草１マット全体を亀甲状の小袋１２に成型する形態を示す。
小袋１２を形成させる手法に点線６で示す箇所を圧着止め１０又は糸止め１１を施す形態とし、小袋１２の内部に薬草粉砕抹７を内包した（薬草粉砕抹７は薬草より抽出したエキスを紙・布等に吸着させた物も含む）形態を示す。
薬草１マットを構成する上部布８、下部布９は薄い生地を用いることが粉砕抹７への加熱効率を高め薬草の癒し成分を多量に発散させる形態。
粉砕抹７は薬草の葉枝を１ミリ〜５ミリ程度に刻み加工した物で、小袋１２内の中に挿入させた形態。【００２６】  図４は、熱源体４と岩盤３が一体を成した、岩盤床１３の上面に本考案の薬草マット１を敷き置き、薬草マット１の上に入浴者２が仰向けに寝て、異なった二つの癒し成分を浴びている状態を示した、薬草マット１の使用を表す。
【実施例】
【００２７】  図４実施例の状況図、給湯パイプ５を有した熱源体４と岩盤から成る岩盤床１３の上面に薬草マット１を敷き、薬草マット１上に入浴者２が仰向けで寝、体を温め、岩盤３と薬草マット放出される癒し成分を浴びている様子を示している。
【産業上の利用可能性】
【００２８】  此れまでの岩盤浴の入浴目的は、加温された石の上に体を預け、石より放射される、希有元素放射線、遠赤外線、マイナスイオンを人体に浴びせることにより、人間体を司る細胞の結合力を緩め、細胞同士が緩み会うことで細胞が和らぎ、血流が良くなり発汗作用も活発化し、ダイエットや筋肉のほぐれの癒しを得る事を目的としている癒し施設であり。
薬草は古くより、薬湯、煎じ薬、薬善、塗り薬、香料と多様使され、身体の病んだ細胞の治療物質として重宝され、現在社会の癒しに大きく貢献している。
上記の二つの癒しを同時に得る岩盤浴は、病める多くの人々が居る現在社会に於いて癒しの施設として多量に供給を要求される。【００２９】  現在の日本国内には色々な種類の浴場施設があり施設の内容、入浴の手法、効能の種類と多種多様な風呂が存在するが、本考案は過熱された石床を用いた風呂、俗称岩盤浴に限定し使用する薬草１マットを指し、現在岩盤浴を愛用されている多くの方々が、一度薬草マット１を使用されることで上記の内容を理解し、薬草マット１の愛用者が増加し、岩盤浴其の物の利用者も増加し健康産業に大きく寄与する。【００３０】  本考案の薬草マット１の使用方法は使い捨てを想定した薬草マット１で有る為、一回限りの使用に依り薬草癒しパワーの効果は良く、清潔で、使用後の処分も環境に優しい処分が可能である。
【図面の簡単な説明】
【００３１】
【図１】薬草上マット部より見た平面図
【図２】薬草マットセンター断面図
【図３】薬草マット設置詳細図
【図４】実施例の状況図
【符号の説明】
【００３２】  １  薬草マット
２  入浴者
３  岩盤
４  熱源体
５  給湯パイプ
６  点線
７  粉砕抹
８  上部布
９  下部布
１０  圧着止め
１１  糸止め
１２  小袋
１３  岩盤床
１４  人型模様
【図１】
0003118345.tif 000003
【図２】
0003118345.tif 000004
【図３】
0003118345.tif 000005
【図４】
0003118345.tif 000006